(57)【要約】【課題】シート張り内装仕上げに於いて容易に目地を形成することができる内装壁面の底目地構造を提供する。【解決手段】建物の壁面に取着された壁パネル表面にクロス等のシートが貼着されてなる内装仕上げ構造に於いて、パネルとパネルの間には底目地部材が設けられこの底目地部材は中央に凹溝が設けられて目地部となされ、この目地部の開口縁部に突条が設けられ、この突条の外側に平坦面が形成されこの平坦面の外側に傾斜面が設けられ、この傾斜面と壁パネル縁部の面取りとによりパテ溜まりが形成され、壁パネルと底目地部材の間に形成されたパテ溜まりにパテが充填され、このパテ表面が平坦に仕上げられ、壁パネルから底目地部材の平坦部に亘ってシートが貼着されたもので、パテ仕上げやシート貼りが容易である。【選択図】        図１
2004332256.tif 000002
【特許請求の範囲】
【請求項１】
建物の壁面に沿って設けられた胴縁などの壁下地材に石膏ボードなどの壁パネルが取着され、この壁パネル表面にクロス等のシートが貼着されてなる内装仕上げ構造に於いて、パネルとパネルの間には底目地部材が設けられこの底目地部材は中央に凹溝が設けられて目地部となされ、この目地部の開口縁部に突条が設けられ、この突条の外側に平坦面が形成されこの平坦面の外側に傾斜面が設けられ、この傾斜面と壁パネル縁部の面取りとによりパテ溜まりが形成され、壁パネルと底目地部材の間に形成されたパテ溜まりにパテが充填され、このパテ表面が平坦に仕上げられ、壁パネルから底目地部材の平坦部に亘ってシートが貼着されたことを特徴とする内装壁面の底目地構造。
【発明の詳細な説明】
【０００１】
【発明の属する技術分野】
本発明は、壁パネルの表面をシート貼りで仕上げた内装壁面の底目地構造に関する。
【０００２】
【従来の技術】
従来、胴縁などの壁下地材に石膏ボードなどの壁パネルを貼着して壁面を形成し、この壁面に織布や合成樹脂シートなどのシートを貼着して仕上げた内装仕上げ構造が知られている。この内装仕上げ構造に於いては、一般には目地を形成することなく壁面全体に亘ってクロスなどのシートが貼着されている。
【０００３】
【発明が解決しようとする課題】
しかしながら上記の如き内装仕上げ構造では壁面が均質で、変化に乏しいという問題があり、このため目地を形成しようとすると壁パネル間に隙間を設けて壁下地材上に取り付け、壁パネル表面に貼着したシートの端部をこの隙間間に折り込んで目地を形成するという方法が採られる。しかしながらこの方法によると、石膏ボードなどの角は強度が弱く欠け易いという問題があるし、目地底が壁面と同一の意匠となるため変化に乏しいという問題があった。
【０００４】
そこで本発明者は従来の欠点に鑑み鋭意研究の結果、シート張り内装仕上げに於いて容易に目地を形成することができる内装壁面の底目地構造を提供するものである。
【０００５】
【課題を解決するための手段】
本発明内装壁面の底目地構造は、建物の壁面に沿って設けられた胴縁などの壁下地材に石膏ボードなどの壁パネルが取着され、この壁パネル表面にクロス等のシートが貼着されてなる内装仕上げ構造に於いて、パネルとパネルの間には底目地部材が設けられこの底目地部材は中央に凹溝が設けられて目地部となされ、この目地部の開口縁部に突条が設けられ、この突条の外側に平坦面が形成されこの平坦面の外側に傾斜面が設けられ、この傾斜面と壁パネル縁部の面取りとによりパテ溜まりが形成され、壁パネルと底目地部材の間に形成されたパテ溜まりにパテが充填され、このパテ表面が平坦に仕上げられ、壁パネルから底目地部材の平坦部に亘ってシートが貼着されたもので、底目地部材と壁パネルの間にパテ溜まりが形成されているので、パテ仕上げが容易であり、目地部となされる底目地部材の開口縁部に突条が設けられているので、この突条がシートを貼るときのあたりとなり、シート貼りが容易である。
【０００６】
【発明の実施の形態】
以下、図面を参照しながら本発明に付いて説明する。
図１は本発明内装壁面の底目地構造の実施形態の一例を示す断面図である。図に於いて、１は壁パネルであり、その縁部が軽量型鋼などからなる下地材２に当接固着されている。隣り合う壁パネル１間には底目地部材３が設けられ、この底目地部材３と壁パネル１の縁部が夫々斜めに切り欠かれてパテ溜まり４が形成されている。このパテ溜まり４にパテが充填されこのパテ表面が平坦に仕上げられる。底目地部材３の中央には溝３１が設けられ、この溝３１の開口縁部には突条３２が設けられている。この突条３２にシート５の端縁が当接されシート５が壁パネル１上に貼り付けられる。
【０００７】
底目地部材３は下地材２上に取り付けられた取付部材に側壁内面の突条が嵌合されて取り付けられている。取付部材は側壁に凹溝が形成された断面コ字形の長尺の型材で、下地材２上に木ねじなどで取り付けられる。取付部材に底目地部材３が取り付けられた高さは壁パネル１の厚みと等しくなされているので、その表面にシート５が貼着されたときシート５の表面に段差が現れたりすることがない。底目地部材３は、ＡＢＳ樹脂などの合成樹脂を押出成形で作製してもよいし、アルミ合金押出型材から作製されてもよい。
【０００８】
底目地部材３はＡＢＳ樹脂などの合成樹脂を押出成形して作製されてもよいし、アルミ合金押出型材から作製されてもよいが、ＡＢＳ樹脂の一部にアルミ合金箔を貼着したものが意匠性に優れ好適に用いられる。図に於いて底目地部材３は、中央に溝３１が設けられ、この溝３１の底にはアルミ合金箔が貼着されている。
【０００９】
次に本発明底目地構造の施工方法について説明する。
壁パネル１を下地材２に木ねじなどで取り付け、この壁パネル１に添って取付部材を下地材２に取り付けこの取付部材に底目地部材３を嵌着する。次にこの取付部材に添って次の壁パネル１を下地材２に取り付ける。このように順次壁パネル１と底目地部材３を取り付け、壁パネル１と底目地部材３の間に形成されたパテ溜まり４にパテを充填し篦などで表面を平坦にする。底目地部材３の高さと壁パネル１の厚みが同寸法となされていれば、表面にクロスなどのシート５を貼ったときに表面に凹凸が現れず美麗である。
【００１０】
【発明の効果】
上述の如く、本発明内装壁面の底目地構造は、建物の壁面に沿って設けられた胴縁などの壁下地材に石膏ボードなどの壁パネルが取着され、この壁パネル表面にクロス等のシートが貼着されてなる内装仕上げ構造に於いて、パネルとパネルの間には底目地部材が設けられこの底目地部材は中央に凹溝が設けられて目地部となされ、この目地部の開口縁部に突条が設けられ、この突条の外側に平坦面が形成されこの平坦面の外側に傾斜面が設けられ、この傾斜面と壁パネル縁部の面取りとによりパテ溜まりが形成され、壁パネルと底目地部材の間に形成されたパテ溜まりにパテが充填され、このパテ表面が平坦に仕上げられ、壁パネルから底目地部材の平坦部に亘ってシートが貼着されたもので、底目地部材と壁パネルの間にパテ溜まりが形成されているので、パテ仕上げが容易であり、目地部となされる底目地部材の開口縁部に突条が設けられているので、この突条がシートを貼るときのあたりとなり、シート貼りが容易である。
【図面の簡単な説明】
【図１】本発明内装壁面の底目地構造の実施形態の一例を示す断面図である。
【符号の説明】
１    壁パネル
２    下地材
３    底目地部材
３１  溝
３２  突条
４    パテ溜まり
５    シート
【図１】
2004332256.tif 000003